(57)【要約】【課題】ライナーを有する磁気ディスクカートリッジにおいて、製作工程を煩雑にすることなく、ライナーによるクリーニング効果を高く確保できるようにする。【解決手段】円盤状の磁気ディスク４と、この磁気ディスク４を回転可能に磁気ディスク収容部に収容したハウジングＣと、磁気ディスク収容部の磁気ディスク４に対面する内面に固定されたライナー５とを備えてなる磁気ディスクカートリッジにおいて、磁気ディスク収容部の窓部１０、１１側の端部から反対側の端部までの間を、窓部１０、１１側の端部の上下方向の高さｈが反対側の端部の上下方向の高さｈ´より高くなるように傾斜させて、磁気ディスク４に対してライナー５が接触する際の圧力が高くなる領域と低くなる領域とを設ける。【選択図】          図２
2004281021.tif 000002
【特許請求の範囲】
【請求項１】
上下のシェルハーフを組み合わせてなる扁平なハウジングと、
該ハウジング内の磁気ディスク収容部に回転可能に収容された磁気ディスクと、
前記磁気ディスク収容部に貼付されて、前記磁気ディスクをクリーニングするライナーとを備えてなる磁気ディスクカートリッジにおいて、
前記ハウジングの内面を傾斜させて前記磁気ディスク収容部の上下方向の高さを不均一にしたことを特徴とする磁気ディスクカートリッジ。
【発明の詳細な説明】
【０００１】
【発明の属する技術分野】
本発明は、ハウジング内に磁気ディスクを収容してなり、この磁気ディスクを回転させて磁気記録再生に利用する磁気ディスクカートリッジに関し、特に、ハウジング内面に除塵用のライナーを設けた構造の磁気ディスクカートリッジに関するものである。
【０００２】
【従来の技術】
従来、特許文献１に記載されているようなフレキシブルなポリエステルシート等からなる円盤状の支持体の両面に磁性体層が形成された可撓性磁気記録メディアを、例えば上下シェルハーフを接合してなる、磁気ヘッド挿入用の窓部を有するハウジング内に回転自在に収容してなる磁気ディスクカートリッジが提供されている。この種の磁気ディスクカートリッジは、その取扱いの容易性、低コストといった利点から、主としてコンピュータ用の記録媒体として用いられている。
【０００３】
上記構成の磁気ディスクカートリッジにおいて、磁気ディスクに塵埃等が付着すると、それがいわゆるドロップアウトの原因となる。このドロップアウトの問題は、磁気ディスクの記録密度がより高いほど発生しやすくなる。そこで、例えば３．５インチタイプの磁気ディスクカートリッジ等においては、磁気ディスクに対面するハウジング内面に、磁気ディスクに付着した塵埃等の付着物を除去するライナーを配設した構造が広く採用されている。そのライナーは一般に、磁気ディスクに接触する表面が起毛状態になっている材料から形成され、該表面が回転する磁気ディスクに接触して、そこに付着している塵埃等を該表面部分で払拭、捕捉するようになっている。
【０００４】
また、上述のようなライナーによる磁気ディスクのクリーニング効果を高めるために、上下シェルハーフの各内面に、ライナーを該内面から浮かせるリフターを設けたり、部分的にライナーを配設したりして、ライナーと磁気ディスクとの接触を確実化することも考えられている。
【０００５】
【特許文献１】
特開２００１−２１００５０号公報
【０００６】
【発明が解決しようとする課題】
しかしながら、上記の様なライナーを設けた磁気ディスクカートリッジにおいて、ライナーを上下シェルハーフの各内面の略全面に配設した場合には、ライナーの厚みや起毛量のムラにより、クリーニング効果が減少してしまうという問題が認められている。また、上下シェルハーフの各内面に、ライナーを該内面から浮かせるリフターを設けたり、部分的にライナーを配設したりした場合には、製作工程が煩雑になってしまうため、コストが増加するという問題が認められている。
【０００７】
本発明は上記事情に鑑みてなされたものであり、製作工程を煩雑にすることなく、ライナーによるクリーニング効果を高く確保できる磁気ディスクカートリッジを提供することを目的とする。
【０００８】
【課題を解決するための手段】
本発明による磁気ディスクカートリッジは、上下のシェルハーフを組み合わせてなる扁平なハウジングと、ハウジング内の磁気ディスク収容部に回転可能に収容された磁気ディスクと、磁気ディスク収容部に貼付されて、磁気ディスクをクリーニングするライナーとを備えてなる磁気ディスクカートリッジにおいて、ハウジングの内面を傾斜させて磁気ディスク収容部の上下方向の高さを不均一にしたことを特徴とするものである。
【０００９】
ここで「ハウジングの内面を傾斜させて磁気ディスク収容部の上下方向の高さを不均一にする」とは、ハウジングの外面は平行としたままハウジングの内面のみを傾斜させて磁気ディスク収容部の上下方向の高さを不均一にすることを意味し、磁気ディスク収容部において、傾斜方向と平行な面で切断した断面は全てハウジング内面が同じ傾斜となるように構成されているものであって、磁気ディスク収容部の一端から他端までの間の全域のハウジング内面を傾斜させたものに限らず、磁気ディスク収容部の一端から他端までの間で部分的に傾斜させたものや、磁気ディスク収容部の中央部から両端に向けて傾斜させたもの等も含む。また、上記の傾斜は、直線的に傾斜させてもよいし、曲線的に傾斜させてもよい。
【００１０】
【発明の効果】
本発明の磁気ディスクカートリッジにおいては、上下のシェルハーフを組み合わせてなる扁平なハウジングと、ハウジング内の磁気ディスク収容部に回転可能に収容された磁気ディスクと、磁気ディスク収容部に貼付されて、磁気ディスクをクリーニングするライナーとを備えてなる磁気ディスクカートリッジにおいて、ハウジングの内面を傾斜させて磁気ディスク収容部の上下方向の高さを不均一にして、磁気ディスクに対してライナーが接触する際の圧力が高くなる領域と低くなる領域とを設けることにより、製作工程を煩雑にすることなく、ライナーと磁気ディスクとの接触を確実化して、クリーニング効果を高く確保することが可能となる。
【００１１】
【発明の実施の形態】
以下、図面を参照して本発明の実施の形態を詳細に説明する。
【００１２】
図１は本発明の一実施の形態による磁気ディスクカートリッジを、上下シェルハーフを分解して示す斜視図、図２は上記磁気ディスクカートリッジの組立時のＩＩ−ＩＩ線断面図である。
【００１３】
この磁気ディスクカートリッジは、一例としていわゆる３．５インチタイプのフロッピディスク（登録商標）カートリッジであり、例えばアクリロニトリル−ブタジエン−スチレン共重合体のような合成樹脂から形成された上シェルハーフ１および下シェルハーフ２を接合して形成された扁平なハウジングＣと、このハウジングＣ内に回転自在に収容された円盤状の磁気ディスク４と、この磁気ディスク４の一表面、他表面にそれぞれ対面する状態にしてハウジングＣ内の磁気ディスク収容部に配設された１対のライナー５、５とを備えてなるものである。
【００１４】
上記磁気ディスク４は、フレキシブルなポリエステルシート等からなる円盤状のベースの両面に磁性体層が形成されたものであり、外周部と内周部とを除く円環状に記録領域４ａが設定され、この記録領域の内外縁部が非記録領域４ｂとなっている。また磁気ディスク４の中央部は、センターコア３に固定、保持されている。
【００１５】
このセンターコア３は、磁気ディスクカートリッジが図示しないドライブ装置に装填されると、該ドライブ装置の回転スピンドルと係合する。そこでこの回転スピンドルが駆動されると、その回転力によって該センターコア３が、つまりは磁気ディスク４が矢印Ｄ方向に回転駆動される。
【００１６】
上シェルハーフ１および下シェルハーフ２は扁平なほぼ矩形状とされ、それらの外周には側壁を構成する外周リブ１ａ、２ａが設けられ、隅角部には略斜めに内側リブ１ｂ、２ｂが設けられ、外周リブ１ａ、２ａおよび内側リブ１ｂ、２ｂの内側が磁気ディスク収容部となるように構成されている。また、これらの上シェルハーフ１および下シェルハーフ２の一部には、それぞれ長方形の磁気ヘッド挿入用窓部１０、１１が設けられている。
【００１７】
下シェルハーフ２の中央部分には、上記センターコア３が臨む大きさの円形状のスピンドル孔２ｃが開口されている。他方、上シェルハーフ１の内面の中心部には、センターコア３の外周の環状部分より内側に位置する環状突起１２が突設されている。この環状突起１２はセンターコア３の上記環状部分の内側に嵌入して、磁気ディスク４の半径方向への移動を規制する。また、図示は省略してあるが、ハウジングＣの窓部１０、１１を開閉するために、図１中左右方向に滑動自在とされたシャッター部材が組み付けられる。
【００１８】
前記上シェルハーフ１および下シェルハーフ２の内面の磁気ディスク収容部にはそれぞれ、磁気ディスク４の記録領域４ａのほぼ全面に接する部分を有するライナー５、５が超音波溶着、接着等により固着されている。それらのライナー５、５は例えば表面が起毛状態になっている材料から形成され、互いにほぼ同一形状（対称形状）で、窓部１０、１１に重なる部分については切除されており、中心部についても環状突起１２またはスピンドル孔２ｃの外径より大きい円孔が開口されている。
【００１９】
上記構成の磁気ディスクカートリッジがドライブ装置に装填されて、磁気ディスク４が回転駆動されると、ライナー５の表面が磁気ディスク４の表面に軽く接触する。磁気ディスク４の表面に存在する塵埃等は軽度の付着性を有しているが、ライナー５の表面が接触して塵埃等にその静的付着力を越える移動エネルギーを与えることで、塵埃等は移動を開始する。すなわち、磁気ディスク４の高速回転に伴う遠心力で塵埃等がメディア外周側に移動すると共に、磁気ディスク４の回転によりその表面には外側に向けて流れるエア流が発生するので、塵埃等はこのエア流によってもメディア外周側に移動し、浮上して上下ライナー５に捕捉されるか、記録領域４ａより外側に排除されてクリーニングが行われる。こうして、磁気ディスク４と磁気ヘッドとの接触部分に塵埃等が侵入することが防止され、ドロップアウトの発生が抑えられる。
【００２０】
ここで、本実施の形態の磁気ディスクカートリッジにおいては、図２に示すように、磁気ディスク収容部の窓部１０、１１側の端部から反対側の端部までの間を、窓部１０、１１側の端部の上下方向の高さｈが反対側の端部の上下方向の高さｈ´より高くなるようにハウジングの内面（外周リブ１ａ、２ａおよび内側リブ１ｂ、２ｂを除く）を傾斜させて、磁気ディスク４に対してライナー５が接触する際の圧力が高くなる領域と低くなる領域とを設けることにより、製作工程を煩雑にすることなく、ライナーと磁気ディスクとの接触を確実化して、クリーニング効果を高く確保することが可能となる。
【００２１】
なお、上記ハウジング内面の傾斜は、磁気ディスク収容部内で図２と平行な面で切断した断面図においては全て同じとなるように構成されている。
【００２２】
また、磁気ディスク４は、回転している際に、磁気ディスク収容部内において窓部１０、１１のように急激に周囲の部材までの高さが高くなると面振れが発生してしまうが、上記のように、反対側の端部から窓部１０、１１側の端部に向けて徐々に高さを高くしていくことによって、面振れの発生を抑制する効果を得ることもできる。
【００２３】
なお、磁気ディスク収容部におけるハウジング内面の傾斜は、上記の態様に限定されるものではなく、図３（ａ）に示すように、磁気ディスク収容部の中央部から両端に向けて高さが高くなるようにハウジング内面に傾斜が設けられたものや、図３（ｂ）に示すように、磁気ディスク収容部の中央部から両端に向けて高さが低くなるようにハウジング内面に傾斜が設けられたものとしてもよい。
【００２４】
また、以上説明した実施の形態は、いわゆる３．５インチタイプのフロッピディスク（登録商標）カートリッジに本発明を適用したものであるが、本発明はその種の磁気ディスクカートリッジに限らず、例えば、より小径の磁気ディスクをハウジングに収納してなる磁気ディスクカートリッジに対しても適用可能であり、その場合にも上記と同様の効果を奏するものである。
【００２５】
そのような小径の磁気ディスクをハウジングに収納してなる磁気ディスクカートリッジとしては、例えば「ｃｌｉｋ！（登録商標）」と呼ばれる超小型の磁気ディスクカートリッジが挙げられる。この「ｃｌｉｋ！（登録商標）」のハウジングは、シャッターを上下シェルハーフで挟んだ構成となっているが、このような場合には、シャッターの内側の高さが不均一になるように傾斜させることにより、上記実施の形態の効果と同様の効果を得ることができる。
【図面の簡単な説明】
【図１】本発明の一実施の形態による磁気ディスクカートリッジを示す分解斜視図
【図２】上記磁気ディスクカートリッジの組立時のＩＩ−ＩＩ線断面図
【図３】磁気ディスクカートリッジのその他の態様の断面図
【符号の説明】
１    上シェルハーフ
１ｄ  上シェルハーフのリブ状突起
２    下シェルハーフ
２ｄ  下シェルハーフのリブ状突起
３    センターコア
４    磁気ディスク
５    ライナー
１０、１１      磁気ヘッド挿入用の窓部
Ｃ    ハウジング
【図１】
2004281021.tif 000003
【図２】
2004281021.tif 000004
【図３】
2004281021.tif 000005